(57)【特許請求の範囲】
【請求項１】
遊技装置を四方から囲む包囲壁の一端側をカバー壁で閉塞する一方、前記包囲壁の他端側が前記遊技装置を受容するための装置受容口になった第１ケース構成体と、
前記カバー壁に対して前記遊技装置を間に挟んで対向しかつ前記包囲壁の前記装置受容口を被覆可能なベース壁を有し、前記第１ケース構成体と合体して装置収容ケースを構成する第２ケース構成体と、
前記第１ケース構成体に設けられたスライド係止部と、
前記第２ケース構成体に設けられ、前記両ケース構成体を嵌合させた状態で、前記第１ケース構成体を前記第２ケース構成体に対して相対的にスライドさせて前記スライド係止部を係止可能な被スライド係止部と、
前記スライド係止部と前記被スライド係止部とが係止したスライド係止状態で、前記両ケース構成体におけるスライド方向の一端部に固定し、その固定を解除した場合の痕跡が残るようにした封止部材と、を備え、
前記スライド係止状態で、前記スライド係止部の前記被スライド係止部への係止により少なくとも前記スライド方向と交差する方向への前記第１ケース構成体の移動が規制された遊技機において、
前記第１ケース構成体のうち前記スライド方向の他端部から前記スライド方向の外側に突出した係止補助突部と、
前記第２ケース構成体に設けられて、前記係止補助突部が挿入される突部挿入孔を有し、前記係止補助突部が前記スライド方向と交差する方向に移動することを規制可能な係止補助壁とを設け、
前記スライド係止部と前記被スライド係止部との係止が外された状態でも、前記係止補助突部と前記突部挿入孔との係合と、前記封止部材による固定とにより、前記ケース構成体同士の離間を規制し、
前記係止補助突部の先端部に、前記第２ケース構成体から離れた側に突出した先端起立壁を設けることで、前記第１ケース構成体を前記第２ケース構成体に対して斜めにして前記先端起立壁から前記係止補助突部を前記突部挿入孔に突入させた場合にのみ前記係止補助突部を前記突部挿入孔に挿入可能とし、
前記第２ケース構成体には、前記ベース壁から突出して前記係止補助壁と対向しかつ前記第１ケース構成体と前記第２ケース構成体を重ね合わせたときに前記包囲壁の内側に位置すると共に前記係止補助壁より低い内側対向壁が形成され、
それら係止補助壁と内側対向壁との間隔を、前記先端起立壁を含んだ前記係止補助突部の先端部の高さより小さくしたことを特徴とする遊技機。
【請求項２】
前記第２ケース構成体には、前記ベース壁から突出し、前記第１ケース構成体と前記第２ケース構成体とを重ね合わせたときに前記包囲壁の外側に位置する外側囲壁が形成され、その外側囲壁の一部を前記係止補助壁としたことを特徴とする請求項１に記載の遊技機。
【請求項３】
前記第２ケース構成体には、前記ベース壁から突出し、前記包囲壁に嵌合される嵌合囲壁が形成されたことを特徴とする請求項１又は２に記載の遊技機。
【請求項４】
前記包囲壁と前記外側囲壁の前記カバー壁と前記ベース壁の対向方向における長さを、前記ケース構成体同士を離間させようとして前記係止補助突部が前記突部挿通孔の内面に当接した場合に前記包囲壁及び前記外側囲壁の先端が前記スライド方向で重なる長さとしたことを特徴とする請求項２又は３に記載の遊技機。
【請求項５】
前記係止補助壁には、前記係止補助突部のうち前記突部挿入孔を通過して前記係止補助壁から突出した先端部を側方から覆う保護突壁が形成され、
前記係止補助突部及び前記保護突壁における前記スライド方向の端部に位置した端面が面一であることを特徴とする請求項１乃至４の何れかに記載の遊技機。
【請求項６】
前記第１及び第２のケース構成体は、透明部材で構成されたことを特徴とする請求項１乃至５の何れかに記載の遊技機。
【請求項７】
前記両ケース構成体同士をスライドさせて、前記スライド係止状態にしたときに前記第１ケース構成体が当接して前記第１ケース構成体のスライドを規制するスライド規制部を前記第２ケース構成体に設けたことを特徴とする請求項１乃至６の何れかに記載の遊技機。
【請求項８】
前記スライド規制部には前記両ケース構成体の端部同士の前記スライド方向と直交する方向への移動を規制する離間規制部が設けられたことを特徴とする請求項７に記載の遊技機。
【請求項９】
前記スライド規制部により前記第１ケース構成体の前記スライド方向への移動が規制されている状態では、前記係止補助突部が前記係止補助壁よりも外側に突出していることを特徴とする請求項７又は８に記載の遊技機。
【請求項１０】
前記第２ケース構成体のうち前記係止補助壁と反対側の端部には、
前記ケース構成体同士をスライドしたときに前記第１ケース構成体の端部が当接して前記封止部材にて前記ケース構成体同士の端部を固定可能な位置に位置決めする当接位置決壁が設けられたことを特徴とする請求項１乃至９の何れかに記載の遊技機。
【請求項１１】
前記係止補助壁のうち前記突部挿入孔に挿入された前記係止補助突部が移動を規制される部分の縁部を面取り形状としたことを特徴とする請求項１乃至１０の何れかに記載の遊技機。
【発明の詳細な説明】
【技術分野】
【０００１】
本発明は、第１及び第２のケース構成体を合体してなる装置収容ケース内の遊技装置が不正に操作されることを防止する遊技機に関する。
【背景技術】
【０００２】
図１７に示した従来の遊技機の装置収容ケース３では、第１ケース構成体１に形成された複数のフック４を第２ケース構成体２に形成された複数のフック係合部５に係合させるために、それら第１と第２のケース構成体１，２を相対的にスライドさせ、その後、そのスライド方向の一端で第１と第２のケース構成体１，２の端部同士を封止部材６によりスライド不能に固定していた。また、封止部材６は破壊しない限り固定を解除することができないようになっており、不正に装置収容ケース３を開くために封止部材６を破壊すると、その痕跡が残り、これにより、不正の防止が図られていた（例えば、特許文献１参照）。
【特許文献１】特開２００５−１３７４９７号公報（第１０図）
【発明の開示】
【発明が解決しようとする課題】
【０００３】
しかしながら、上述した従来の装置収容ケース１は、封止部材６を破壊せずに装置収容ケース３を開くことができた。具体的には、第１と第２のケース構成体１，２の端部が封止部材６によってスライド不能に固定された状態であっても、フック４及びフック係合部５の係合解除方向に大きな力を加えると、第１又は第２のケース構成体１，２が撓んで、係合を解除することができた。そして、封止部材６の固定部分を支点にして、第１ケース構成体１に対して第２ケース構成体２を回動させることで、装置収容ケース３を開くことができた。このため、封止部材６に開封の痕跡を残すことなく、内部の遊技装置（例えば、ＲＯＭ）に不正が施される事態が生じ得た。
【０００４】
本発明は、上記事情に鑑みてなされたもので、不正により装置収容ケースが開封されることを確実に防止することが可能な遊技機の提供を目的とする。
【課題を解決するための手段】
【０００５】
上記目的を達成するためになされた請求項１の発明に係る遊技機は、遊技装置を四方から囲む包囲壁の一端側をカバー壁で閉塞する一方、包囲壁の他端側が遊技装置を受容するための装置受容口になった第１ケース構成体と、カバー壁に対して遊技装置を間に挟んで対向しかつ包囲壁の装置受容口を被覆可能なベース壁を有し、第１ケース構成体と合体して装置収容ケースを構成する第２ケース構成体と、第１ケース構成体に設けられたスライド係止部と、第２ケース構成体に設けられ、両ケース構成体を嵌合させた状態で、第１ケース構成体を第２ケース構成体に対して相対的にスライドさせてスライド係止部を係止可能な被スライド係止部と、スライド係止部と被スライド係止部とが係止したスライド係止状態で、両ケース構成体におけるスライド方向の一端部に固定し、その固定を解除した場合の痕跡が残るようにした封止部材と、を備え、スライド係止状態で、スライド係止部の被スライド係止部への係止により少なくともスライド方向と交差する方向への第１ケース構成体の移動が規制された遊技機において、第１ケース構成体のうちスライド方向の他端部からスライド方向の外側に突出した係止補助突部と、第２ケース構成体に設けられて、係止補助突部が挿入される突部挿入孔を有し、係止補助突部がスライド方向と交差する方向に移動することを規制可能な係止補助壁とを設け、スライド係止部と被スライド係止部との係止が外された状態でも、係止補助突部と突部挿入孔との係合と、封止部材による固定とにより、ケース構成体同士の離間を規制し、係止補助突部の先端部に、第２ケース構成体から離れた側に突出した先端起立壁を設けることで、第１ケース構成体を第２ケース構成体に対して斜めにして先端起立壁から係止補助突部を突部挿入孔に突入させた場合にのみ係止補助突部を突部挿入孔に挿入可能とし、第２ケース構成体には、ベース壁から突出して係止補助壁と対向しかつ第１ケース構成体と第２ケース構成体を重ね合わせたときに包囲壁の内側に位置すると共に係止補助壁より低い内側対向壁が形成され、それら係止補助壁と内側対向壁との間隔を、先端起立壁を含んだ係止補助突部の先端部の高さより小さくしたところに特徴を有する。
【０００８】
請求項２の発明は、請求項１に記載の遊技機において、第２ケース構成体には、ベース壁から突出し、第１ケース構成体と第２ケース構成体とを重ね合わせたときに包囲壁の外側に位置する外側囲壁が形成され、その外側囲壁の一部を係止補助壁としたところに特徴を有する。
【０００９】
請求項３の発明は、請求項１又は２に記載の遊技機において、第２ケース構成体には、ベース壁から突出し、包囲壁に嵌合される嵌合囲壁が形成されたところに特徴を有する。
【００１０】
請求項４の発明は、請求項２又は３に記載の遊技機において、包囲壁と外側囲壁のカバー壁とベース壁の対向方向における長さを、ケース構成体同士を離間させようとして係止補助突部が突部挿通孔の内面に当接した場合に包囲壁及び外側囲壁の先端がスライド方向で重なる長さとしたところに特徴を有する。
【００１１】
請求項５の発明は、請求項１乃至４の何れかに記載の遊技機において、係止補助壁には、係止補助突部のうち突部挿入孔を通過して係止補助壁から突出した先端部を側方から覆う保護突壁が形成され、係止補助突部及び保護突壁におけるスライド方向の端部に位置した端面が面一であるところに特徴を有する。
【００１２】
請求項６の発明は、請求項１乃至５の何れかに記載の遊技機において、第１及び第２のケース構成体は、透明部材で構成されたところに特徴を有する。
【００１３】
請求項７の発明は、請求項１乃至６の何れかに記載の遊技機において、両ケース構成体同士をスライドさせて、スライド係止状態にしたときに第１ケース構成体が当接して第１ケース構成体のスライドを規制するスライド規制部を第２ケース構成体に設けたところに特徴を有する。
【００１４】
請求項８の発明は、請求項７に記載の遊技機において、スライド規制部には両ケース構成体の端部同士のスライド方向と直交する方向への移動を規制する離間規制部が設けられたところに特徴を有する。
請求項９の発明は、請求項７又は８に記載の遊技機において、スライド規制部により第１ケース構成体のスライド方向への移動が規制されている状態では、係止補助突部が係止補助壁よりも外側に突出しているところに特徴を有する。
【００１５】
請求項１０の発明は、請求項１乃至９の何れかに記載の遊技機において、第２ケース構成体のうち係止補助壁と反対側の端部には、ケース構成体同士をスライドしたときに第１ケース構成体の端部が当接して封止部材にてケース構成体同士の端部を固定可能な位置に位置決めする当接位置決壁が設けられたところに特徴を有する。
【００１７】
請求項１１の発明は、請求項１乃至１０の何れかに記載の遊技機において、係止補助壁のうち突部挿入孔に挿入された係止補助突部が移動を規制される部分の縁部を面取り形状としたところに特徴を有する。
【発明の効果】
【００１８】
［請求項１の発明］
上記のように構成した請求項１に係る発明によれば、装置収容ケースを構成する第１及び第２ケース構成体は、スライド係止部と被スライド係止部とを係止させるスライド方向の一端部において、封止部材によって固定される一方、スライド方向の他端部において係止補助突部が突部挿入孔にスライド方向に挿入することにより、そのスライド方向と直交する方向への移動が規制されている。これにより、不正に装置収容ケースに大きなな力を加えてスライド係止部と被スライド係止部との係止を解除できたとしても、従来のように封止部材を支点として第１ケース構成体を第２ケース構成体に対して回動させることができなくなる。即ち、不正により装置収容ケースが開封されることを確実に防止することができる。
【００１９】
また、本発明によれば、係止補助突部の先端部に、第２ケース構成体から離れた側に突出した先端起立壁を設けたことにより、第１ケース構成体を第２ケース構成体に対して斜めにして先端起立壁から係止補助突部を突部挿入孔に突入させた場合にのみ係止補助突部が突部挿入孔に挿入可能になる。また、係止補助突部を突部挿入孔から抜く際には、先端起立壁により、第１ケース構成体を第２ケース構成体に対して斜めにしてからでないと抜けなくなる。
さらに、本発明によれば、包囲壁の内側に内側対向壁を形成したことにより両ケース構成体の隙間から異物を混入して不正な行為を行うことを防止できる。その上、係止補助壁と内側対向壁との間隔が先端起立壁を含んだ係止補助突部の先端部の高さより小さくなっているので、係止補助突部が間に入り込むことがなく、突部挿入孔に係止補助突部を容易に挿入することができる。
【００２０】
［請求項２の発明］
請求項２の発明によれば、包囲壁の外側に外側囲壁を形成したことにより両ケース構成体の隙間から異物を混入して不正な行為を行うことを防止できる。
【００２１】
［請求項３の発明］
請求項３の発明のように、包囲壁と嵌合囲壁とにより遊技装置を囲めば、両ケース構成体の隙間から異物を混入して不正な行為を行うことを防止できる。
【００２２】
［請求項４の発明］
請求項４の発明によれば、カバー壁とベース壁との対向方向のうち両ケース構成体が離間する方向へ移動したときに、係止補助突部のベース壁側の端部と突部挿入孔の内面との間にできる隙間が、包囲壁と嵌合囲壁との嵌合深さより小さいので、当該隙間から装置収容ケースの内部に異物を挿入する等の不正を防止することができる。
【００２３】
［請求項５の発明］
請求項５の発明によれば、係止補助壁に形成した保護突壁が突部挿入孔から突出した係止補助突部の先端部を覆うので、係止補助突部を保護することができる。さらに、係止補助突部及び保護突壁におけるスライド方向の端部に位置した端面が面一となっているので、出荷時や輸送時に係止補助突部が破損するのを防止することができる。
【００２４】
［請求項６の発明］
請求項６の発明によれば、第１及び第２のケース構成体は、透明部材で構成されたことにより、装置収容ケースの外部から遊技装置を視認可能となるので、内部に収容した遊技装置に異常が発生した場合や、不正な行為がなされた場合等に容易に知ることができる。
【００２５】
［請求項７及び８の発明］
請求項７の発明によれば、両ケース構成体を離間方向だけでなく、スライド方向でも規制することにより装置収容ケースの開放をより困難とすることが可能となる。また、請求項８の発明によれば、装置収容ケースの開放をより困難にすることが可能となる。
［請求項９の発明］
請求項９の発明によれば、封止部材による封止が解除された場合でも、係止補助突部を突部挿入孔から抜いてからでないと、装置収容ケースを開放することが困難となる。
【００２６】
［請求項１０の発明］
請求項１０の発明によれば、当接位置決壁に第１ケース構成体の端部が当接してスライドを確実に規制することができると共に、封止部材によるケース構成体同士の固定が容易に行える。
【００２８】
［請求項１１の発明］
請求項１１の発明によれば、係止補助壁のうち突部挿入孔に挿入された係止補助突部が移動を規制される部分の破壊を防ぐことができる。具体的には、不正者がドライバーの先端を突部挿入孔と係止補助突部の基端部との間に挿入させ、係止補助突部の先端を支点にしてドライバーを回転させて、係止補助壁を破壊しようとした場合には、ドライバーの先端が面取り部分で滑るので、当該破壊を防ぐことができる。
【発明を実施するための最良の形態】
【００２９】
以下、本発明を適用したパチンコ遊技機１０に係る一実施形態を、図１〜図１５に基づいて説明する。図２に示すように、本実施形態のパチンコ遊技機１０は、パチンコホールの遊技島に固定した木枠１０Ｘの内側に遊技機本体１０Ｈと前面枠１０Ｚとを回動可能に取り付けてなる。遊技機本体１０Ｈは中枠１０Ｙと機構板４０とを前後に重ね合わせて構成されており、中枠１０Ｙと機構板４０との間には遊技盤１１が備えられている。そして、中枠１０Ｙ及び前面枠１０Ｚのうち遊技盤１１の前方部分には遊技開口１０Ｖが設けられ遊技盤１１に備えた遊技領域Ｒ１がパチンコ遊技機１０の前方から視認可能になっている。
【００３０】
前面枠１０Ｚの遊技開口１０Ｖにはガラス窓１０Ｗが嵌め込まれている。そのガラス窓１０Ｗの上方には、装飾ランプ３５が設けられ、上側の左右両角部にはスピーカ５６Ｓ，５６Ｓが設けられている。ガラス窓１０Ｗより下方には、上皿２７Ａ及び下皿２７Ｂが上下２段にして設けられている。そして、上皿２７Ａに備えたボタン２９を押すと上皿２７Ａに収容されている遊技球が下皿２７Ｂへと移動する。また、上皿２７Ａの両側には、スピーカ５６Ｓが備えられ、下皿２７Ｂの右端部には操作ノブ２８が設けられている。そして、操作ノブ２８を回動操作すると、上皿２７Ａに収容された遊技球が遊技領域Ｒ１に向けて弾き出される。
【００３１】
遊技領域Ｒ１は、遊技盤１１の前面から突出したガイドレール１２に囲まれて略円形になっている。その遊技領域Ｒ１の右上寄り位置には表示装置１３が備えられている。遊技領域Ｒ１のうち表示装置１３より下方には、第１及び第２の始動入賞口１４Ａ，１４Ｂ、大入賞口１５及び外れ球受け入れ口１６が、上から順に間隔を開けて並べて設けられ、左右両側部には、ガイドレール１２に沿って一般入賞口２０，２１及びサイドランプ２２，２２がそれぞれ設けられている。また、表示装置１３の左側には、始動ゲート１８と風車１９とが上下に並べて設けられている。さらに、風車１９の下方には、サイドランプ２２と一体に、普通図柄表示部１８Ｈが設けられている。これら各種入賞口１４Ａ，１４Ｂ，１５，２０，２１，表示装置１３等の役物以外に、遊技領域Ｒ１には、遊技球と当接して流下方向を様々に変化させることが可能な図示しない障害釘が分散配置されている。
【００３２】
次に所要の各部位についてさらに詳説する。始動ゲート１８は、遊技球が潜って通過可能な門形構造をなし、通過した遊技球は、その始動ゲート１８に内蔵したゲートスイッチによって検出される。そして、その検出信号に基づいて、後述する普通図柄表示部１８Ｈの図柄が変動表示される。
【００３３】
一般入賞口２０，２１は、所謂、ポケット構造をなし、遊技球が丁度１つ入球可能な大きさで上方に開口している。そして、各一般入賞口２０，２１に入った遊技球は、遊技盤１１に設けた図示しない貫通孔を通って、遊技盤１１の裏側に回収される。また、これら各一般入賞口２０，２１の内部には、遊技球の入賞を検出するための一般入賞口スイッチが備えられ、それら各一般入賞口スイッチＳＷ４が遊技球の１球の入賞を検出する度に、所定数（例えば４個）の賞球が上皿２７Ａに払い出される。
【００３４】
第１及び第２の始動入賞口１４Ａ，１４Ｂは、上下方向に並んで配置されている。各始動入賞口１４Ａ，１４Ｂは、共に遊技盤１１から突出した部材の上面に開口を備えた、所謂、ポケット構造をなしている。そして、各始動入賞口１４Ａ，１４Ｂに入った遊技球は、遊技盤１１に設けた図示しない貫通孔を通って、遊技盤１１の裏側に回収される。
【００３５】
上側に配置された第１の始動入賞口１４Ａは、遊技球が１つだけ入る開口幅を有している。一方、下側に配置された第２の始動入賞口１４Ｂは、第１の始動入賞口１４Ａの真下に配置され、その開口の左右両側には可動翼片１４Ｃ，１４Ｃが備えられている。これら両可動翼片１４Ｃ，１４Ｃは、常には起立状態になっており、両可動翼片１４Ｃ，１４Ｃに挟まれた第２の始動入賞口１４Ｂの開口幅は、遊技球が１つだけ入る大きさとなっている。また、第２の始動入賞口１４Ｂの上方空間は、常には、第１の始動入賞口１４Ａを構成する部材と可動翼片１４Ｃ，１４Ｃとで囲まれて、遊技球が入らないようになっている。そして、普通図柄表示部１８Ｈで停止表示された数字図柄が奇数になると、遊技盤１１の裏に設けたソレノイド１４Ｓが駆動されて、可動翼片１４Ｃ，１４Ｃが所定期間（例えば、０．４秒間）に亘って横に倒される。すると、第２の始動入賞口１４Ｂの上方空間が側方に開放し、第１の始動入賞口１４Ａの両脇を通過した遊技球が可動翼片１４Ｃに受け止められて第２の始動入賞口１４Ｂに案内されるようになる。
【００３６】
始動入賞口１４Ａ，１４Ｂに遊技球が入賞すると、始動入賞口１４Ａ，１４Ｂ内に設けた図示しない始動口センサが遊技球を検出し、その検出信号に基づいて表示装置１３が後述するように図柄を変動表示する。なお、表示装置１３が図柄を変動表示している間に、始動入賞口１４Ａ，１４Ｂに入賞した入賞球は、４個まで保留記憶される。
【００３７】
大入賞口１５は、横長に形成されて、常には、可動扉１５Ｔにて閉塞されている。そして、後述する所定条件の成立によって、パチンコ遊技機１０が「大当たり状態」になると、遊技盤１１の裏に設けたソレノイド１５Ｓ（図５参照）が駆動され、可動扉１５Ｔが所定期間に亘って前側に倒れる。これにより、大入賞口１５が開放され、可動扉１５Ｔを案内にして、大入賞口１５に多くの遊技球が入賞可能になる。ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したか、の何れかの条件が先に満たされた場合に終了する。
【００３８】
大入賞口１５の内部には、継続入賞口と計数入賞口とが設けられており、これら継続入賞口及び計数入賞口が開放される。より詳細には、可動扉１５Ｔが開いたときには、継続入賞口は開放しており、継続入賞口に入賞後、ソレノイド１５Ｓが駆動されて、継続入賞口が閉鎖される一方、計数入賞口は開放されたままとなる。そして、継続入賞口内に設けた特定領域センサ（図示しない）が遊技球の入賞を検出すると継続権利が発生して、前述した終了条件（可動扉１５Ｔの開放時間が３０秒に達したか、又は、大入賞口１５に遊技球が１０個入賞したか）を満たしてラウンドが終了した後で、連続して次のラウンドが実行される。また、計数入賞口内に設けたカウントセンサが遊技球の入賞を検出すると、前記継続入賞口への入賞球と合わせて、大入賞口１５への入賞球がカウントされ、これらが前記したように計１０個に達したか否かがチェックされる。
【００３９】
表示装置１３は、全体として枠形構造をなし、遊技盤１１に形成された表示開口（図示しない）に前面側から宛がわれる表示枠体２３と、遊技盤１１の後面側に取り付けられる図示しない液晶モジュール（詳細には、ＴＦＴ−ＬＣＤモジュール）とを組み合わせてなる。液晶モジュールのうち表示枠体２３によって取り囲まれた前面部分は、液晶表示部２４となっており、遊技者は、表示枠体２３を通して液晶表示部２４に表示された画像を見ることができる。
【００４０】
液晶表示部２４には、図１に示すように、通常は、３つの左、中、右の特別図柄１３Ａ，１３Ｂ，１３Ｃが横並びに表示されている。これら各特別図柄１３Ａ，１３Ｂ，１３Ｃは、例えば、「０」〜「１１」の数字を表記した複数種類のもので構成されており、通常は、各特別図柄１３Ａ，１３Ｂ，１３Ｃごと、所定の種類のものが、液晶表示部２４に確定表示されている。そして、始動入賞口１４Ａ，１４Ｂに遊技球が入賞したときに当否判定し、各特別図柄１３Ａ，１３Ｂ，１３Ｃが、上下方向にスクロールして変動表示され、所定時間後に、例えば、左、中、右の順で各特別図柄１３Ａ，１３Ｂ，１３Ｃが停止表示される。このとき、例えば、当否判定の結果が当たりで全ての特別図柄１３Ａ，１３Ｂ，１３Ｃが同じ図柄、即ち、ぞろ目になった場合に、遊技が「大当たり状態」になり、可動扉１５Ｔが開かれる。
【００４１】
普通図柄表示部１８Ｈは、始動ゲート１８内に設けたゲートスイッチが遊技球の通過を検出したときに当否判定して、例えば、「０」〜「９」までの数字を所定期間に亘って変動表示した後、所定の数字を確定表示する。そして、確定表示された数字が、例えば、奇数の場合に、始動入賞口１４Ｂに設けた可動翼片１４Ｃ，１４Ｃが所定期間（例えば、０．４秒）に亘って横に倒される。なお、普通図柄表示部１８Ｈで表示する図柄は、数字に限るものではなく、アルファベットや記号等でもよい。
【００４２】
機構板４０には、種々の部品が組み付けられている。具体的には図３に示すように、機構板４０の上部には遊技球を貯留する遊技球タンク４５が組み付けられ、機構板４０の一側方には払出装置４６が設けられており、機構板４０の下側部分には払出制御装置４７と電源装置４８とが並んで設けられている。なお、払出制御装置４７は、各入賞口１４，１５，１８Ｔ，２０，２１への遊技球の入賞に基づいた主制御装置５０からの信号に基づいて、払出装置４６及び球貸し装置４６Ａを駆動して遊技球を上皿２７Ａに払い出し、発射制御装置４９は、操作ノブ２８の操作量に応じて図示しない発射モータを駆動制御している。また、機構板４０の中央部には矩形開口４４が形成され、遊技盤１１の後面１１Ｒを露出させている。
【００４３】
図４に示すように、遊技盤１１の後面１１Ｒには、表示装置１３の他に主制御装置５０、サブ制御装置４１、音声・図柄制御装置４２が取り付けられている。この主制御装置５０は、遊技の当否判定を行うと共に、パチンコ遊技機１０全体を統括的に制御し、その主制御装置５０から制御信号を受けて、サブ制御装置４１が、サイドランプ２２，２２や装飾ランプ３５、ＬＥＤ等の発光を制御している。また、音声・図柄制御装置４２は、スピーカ５６Ｓから出力するＢＧＭや演出時の音声データを制御すると共に、表示装置１３の液晶表示部２４に表示する遊技画像を制御している。矩形開口４４には樹脂製カバー４４Ｃ（図２参照）が取り付けられて、各制御装置５０〜５２の後方を覆っている。
【００４４】
遊技盤１１の後面１１Ｒの上寄り位置には液晶モジュールを内部に収容した表示装置１３、音声・図柄制御装置４２、及びサブ制御装置４１が前後に重ねて配置され、その下方には主制御装置５０が配置されている。主制御装置５０は、遊技盤１１から後方に突き出して備えられた装置固定部５１を介して遊技盤１１に回動可能に取り付けられている。
【００４５】
装置固定部５１は、左右方向の端部が後方に突出した箱形状をしており、その突出部分の一方（裏側から見て右側）には上方に開口した軸孔５１Ｒ（図３参照）が設けられている。また、主制御装置５０のうち左右方向の一方側（裏側から見て右側）には、軸孔５１Ｒに回動可能に軸支される回動軸５０Ｓ（図３参照）が形成されている。回動軸５０Ｓは主制御装置５０の端部で側方にオフセットされて上下に延びており、回動軸５０Ｓの上端で連絡されている。回動軸５０Ｓの先端は、装置固定部５１の軸孔５１Ｒ（図３参照）に挿入されており、主制御装置５０が装置固定部５１に対して（即ち、遊技盤１１に対して）回動可能になっている（図５参照）。また、主制御装置５０のうち長手方向の他方側からは角筒状の係止突起５０Ｔが突出している。係止突起５０Ｔは、装置固定部５１の他方側の突出部分に設けられた固定バー５１Ｋによって係止され、主制御装置５０が回動しないように規制している。
【００４６】
図５に示すように、装置固定部５１のうち両端の突出部分の間で、主制御装置５０と遊技盤１１とによって挟まれた部分には、入賞装置５２が取り付けられている。入賞装置５２には、中継基板５２Ｋと、ソレノイド１４Ｓ，１５Ｓが備えられている。中継基板５２Ｋは、第１及び第２の始動入賞口１４Ａ，１４Ｂの始動口センサ及び大入賞口１５の特定領域センサから主制御装置５０に送信される信号を中継する。また、ソレノイド１４Ｓは可動翼片１４Ｃ，１４Ｃを可動させ、ソレノイド１５Ｓは可動扉１５Ｔを可動させる。主制御装置５０を回動させて、図５のように入賞装置５２を露出させることにより入賞装置５２のメンテナンス等が行えるようになっている。
【００４７】
さて、上記した各制御装置４１，４２，４７〜５０は、制御基板を透明な樹脂製の基板収容ケースに収容したユニット構造をなしている。各制御装置４１，４２，４７〜５０のうち主制御装置５０に備えた装置収容ケース６２に本発明に係る「装置収容ケース」の構造が適用されている。図６には、主制御装置５０の全体が示され、図７には、主制御装置５０を構成部品に分解した状態が示されている。
【００４８】
図７に示すように、主制御装置５０が有する主制御基板６０（本発明の「遊技装置」に相当する）は、例えば横長の長方形状をなし、その四隅には円形の基板貫通孔６０Ａが貫通形成されている。また、図７において前方（手前側）を向いた主制御基板６０の表面には、ＣＰＵとＲＡＭ及びＲＯＭを合わせてパッケージしてなるワンチップマイコン６１Ａ、その他のＩＣチップ６１Ｂ、コンデンサ６１Ｃ等の電子部品が実装されると共に、他の制御基板との間でハーネスを接続するためのケーブルコネクタ６１Ｄも実装されている。
【００４９】
ワンチップマイコン６１Ａは、ソケット６１Ｓを介して主制御基板６０に実装されている。即ち、ソケット６１Ｓが主制御基板６０の表面に半田付けされ、そのソケット６１Ｓにワンチップマイコン６１Ａが着脱可能に取り付けられている。これにより、複数種類のパチンコ遊技機１０の間で主制御基板６０の部品を共通化してワンチップマイコン６１Ａのみを変更することができると共に、不具合発生時やバージョンアップ時にワンチップマイコン６１Ａを容易に交換することができるようになっている。
【００５０】
また、パチンコ遊技機１０の電源を投入すると、ワンチップマイコン６１ＡのＣＰＵは、ＲＯＭに記憶された所定の制御プログラムを実行して遊技の当否判定を行っている。具体的には、パチンコ遊技機１０の電源を投入すると、ＣＰＵが、常時、乱数を生成しており、始動入賞口１４Ａ，１４Ｂに遊技球が入球したタイミングで生成された乱数が、予めＲＯＭに記憶された複数個の「当たり数値」の何れかと一致した場合に遊技を大当たり状態にする。従って、ワンチップマイコン６１Ａを交換し、そのワンチップマイコン６１ＡのＲＯＭに記憶された「当たり数値」の個数を不正に増やせば、大当たり状態を頻発することになる。そこで、本実施形態では、前述の如く主制御装置５０の装置収容ケース６２に本発明に係る「装置収容ケース」の構造が適用されている。
【００５１】
装置収容ケース６２は、カバー体８０（本発明の「第１ケース構成体」に相当する）とべース体６３（本発明の「第２ケース構成体」に相当する）とからなる。カバー体８０は、図７に示すように、主制御基板６０を四方から包囲壁８２で囲み、その包囲壁８２の一端がカバー壁８１で閉塞されている。また、包囲壁８２の他端は開放して装置受容口８０Ａになっており、主制御基板６０を受容可能になっている。
【００５２】
カバー壁８１は、平面形状が略長方形をなし、短手方向の両端部に向かって段付き状に徐々にベース壁６７に接近するように屈曲している。そして、カバー壁８１には、長辺側の両端縁に沿って複数のハーネス接続孔８２Ａが形成され、これらハーネス接続孔８２Ａを通して図示しないハーネスの端末に備えたコネクタが、主制御基板６０のケーブルコネクタ６１Ｄに接続される。また、カバー壁８１の外面には、ラベルシールを貼るための凹部８１Ｍ及びＬ字形突条８１Ｌが形成されると共に、長手方向の一端寄り位置には封止ピン収容凹部８１Ｐが形成されている。封止ピン収容凹部８１Ｐには後述する封止ピン６４Ｐの予備が収納されている。
【００５３】
また、カバー体８０の内部のうちカバー壁８１の４つの角部には、主制御基板６０を固定するための図示しない基板固定柱が設けられている。基板固定柱は、先端を主制御基板６０の基板貫通孔６０Ａに挿入しビス留めされることにより主制御基板６０をカバー体８０に固定している。
【００５４】
包囲壁８２のベース体６３側の端部のうち長手方向（本発明の「スライド方向」に相当する）に主制御基板６０を挟んで平行に延びる２辺は、そのベース体６３側の端部に、ベース体６３に向けて突出した複数のスライド係止フック８２Ｆ（本発明の「スライド係止部」に相当する）が形成されている。各スライド係止フック８２Ｆの先端は、Ｌ字状に屈曲して一方側を向いている。以下、スライド方向のうち、スライド係止フック８２Ｆの先端が向く方向を「スライド係止方向」という
【００５５】
また、カバー体８０のうちスライド方向の一端部（スライド係止方向側の端部）には、側方に突出した封止突部８３が設けられている。図１０及び図１１に示すように、封止突部８３は、包囲壁８２の側端から側方に片持ち梁状に張り出され、複数（例えば４つ）に分離されている。詳細には、包囲壁８２の端部からは複数の四角形の角形突部８５が横並びに突出している。そして、各角形突部８５の両側に１対のスリット８５Ｓ，８５Ｓを形成して角形突部８５の両側部を隣の角形突部８５から切り離すと共に、それらスリット８５Ｓ，８５Ｓを、各角形突部８５の包囲壁８２側部分で互いに接近させることで、破断可能なくびれ形状にして切断部８５Ｔが形成されている。そして、この角形突部８５と切断部８５Ｔとから封止突部８３が構成され、その封止突部８３が上記したスリット８５Ｓによって複数に分離されている。なお、各スリット８５Ｓのうち基端部を除いた部分は隣り合った角形突部８５，８５の間で兼用されている。
【００５６】
上記した複数の角形突部８５には、それぞれ中心部分に封止ピン貫通孔８５Ａが貫通成形されている。その封止ピン貫通孔８５Ａの内径は、軸方向の途中部分で段付き状に縮径されて、ベース壁６７側の内径が小さくなっている。そして、この封止ピン貫通孔８５Ａには、後述する封止ピン６４Ｐ（本発明に係る「封止部材」に相当する）又は封止栓６４が挿入可能となっている。
【００５７】
また、封止突部８３全体の両側には、包囲壁８２の外面から保護壁８４，８４が突出形成されている。各保護壁８４の角形筒部８５側の端部は、角形筒部８５側にオフセットされた保護突片８４Ｈとなっている。この保護突片８４Ｈの先端は、角形突部８５の先端と面一になっている。また、保護壁８４のうち角形筒部８５とは反対側の端部は、カバー壁８１側の面が段付き状にベース体６３に接近するように屈曲している。
【００５８】
包囲壁８２のスライド方向に延びる部分のうち封止突部８３から離れた端部（即ち、スライド係止方向とは反対側の端部）寄り位置からは、係止爪８２Ｔが突出している（図１１参照）。係止爪８２Ｔは略三角形状に側方に突出しており、封止突部８３側に近づくに従って包囲壁８２に近づく傾斜面を有すると共に、包囲壁８２から垂直に起立した起立面を有している。この係止爪８２Ｔは、後述するスライド係止片６９によって係止されるようになっている。
【００５９】
カバー体８０のうち封止突部８３が設けられた包囲壁８２に対向する包囲壁８２（即ち、スライド係止方向とは反対側の包囲壁８２）からは２つの角筒状の係止補助突部８７，８７がスライド係止方向とは反対の方向に向かって突出している。各係止補助突部８７，８７は、この包囲壁８２のベース体６３側端部のうちカバー体８０における短手方向の一端寄り位置（例えば、係止爪８２Ｔ側）と中間位置に形成されている。この係止補助突部８７，８７のカバー体８０における短手方向の長さは、一端寄り位置に形成された係止補助突部８７の方が中間位置のものよりも長くなっている。また、各係止補助突部８７，８７のカバー体８０とベース体６３との対向方向の長さ（以下、この長さを「係止補助突部８７の高さ」という）は等しくなっている。そして、各係止補助突部８７，８７の先端のうちベース体６３から離れた側の縁部からは、ベース体６３から離れた側に突出した先端起立壁８７Ａ，８７Ａが形成されている。各先端起立壁８７Ａは略矩形状をなし、スライド係止方向と反対側の端面は係止補助突部８７の先端面と面一になっている。また、各先端起立壁８７Ａ，８７Ａは、先端部が後述する突部挿入孔６５の上端部以上の高さに位置するように形成されている。
【００６０】
一方、ベース体６３は、図７に示すように、カバー壁８１に対して主制御基板６０を間に挟んで対向する略長方形のベース壁６７の外縁から外側囲壁６８を突出させた構造になっている。このベース壁６７は、カバー体８０の包囲壁８２の先端に当接して装置受容口８０Ａを閉塞している。なお、上述した主制御装置５０に備えられた回動軸５０Ｓ及び係止突起５０Ｔは、このベース体６３のベース壁６７の側端部に設けられている。
【００６１】
図８に示すように、ベース壁６７のうちカバー壁８１側の面には外側囲壁６８に平行に延びた底壁リブ６７Ｒが格子状に複数形成され、ベース体６３を補強して外部からの力によって撓み難くしている。また、外側囲壁６８のうちスライド方向に延びる各辺の内側には、外側囲壁６８に沿って基板支持壁６７Ｓ（本発明の「内側対向壁」に相当する）がカバー体８０に向かって起立している。この基板支持壁６７Ｓの先端のうち複数箇所からは支持突起６７Ｔが突出している。そして、支持突起６７Ｔの先端面は主制御基板６０の裏面に当接し、主制御基板６０を支持可能にしている。この基板支持壁６７Ｓと外側囲壁６８との間には、カバー体８０の包囲壁８２が嵌合されている。即ち、包囲壁８２の内側には基板支持壁６７Ｓが嵌合され、包囲壁８２の外側には外側囲壁６８が嵌合されている。
【００６２】
ベース壁６７のうち各スライド係止フック８２Ｆに対応する位置には、複数の被スライド係止部６７Ｆがベース壁６７を貫通して形成されている。各被スライド係止部６７Ｆは、スライド方向に長い矩形状をなし、各スライド係止フック８２Ｆの屈曲した先端が挿抜可能となっている。そして、カバー体８０とベース体６３とを重ね合わせて装置受容口８０Ａをベース壁６７で閉塞した状態にすると、各スライド係止フック８２Ｆは被スライド係止部６７Ｆに挿入され、カバー体８０をベース体６３に対して、スライド係止方向へ相対的にスライドさせると、ベース体６３とカバー体８０とが係止されたスライド係止状態になる。
【００６３】
ベース体６３のうちスライド係止方向の端部には、角筒状のベース側封止部材６６（本発明の「封止部材」に相当する）が形成されている。ベース側封止部材６６は、封止突部８３との対向方向の中間位置が封止壁６６Ｈによって閉塞されており、この封止壁６６Ｈのうちスライド係止方向側の縁部には、カバー体８０側に起立してスライド係止方向と反対側の端部が開放した封止筒部収容箱６６Ｂが設けられている。封止筒部収容箱６６Ｂの内部には、封止突部８３の複数の各角形筒部８５が収容可能となっており、封止筒部収容箱６６Ｂのカバー体８０側の端部にはＵ字形に切除されてピン組付孔６６Ｕが形成されている。また、ベース側封止部材６６のスライド係止方向の端部うちカバー体８０側の角部には封止壁６６Ｈと対向した側方係止壁６６Ｋ，６６Ｋが形成されている。そして、スライド係止フック８２Ｆと被スライド係止部６７Ｆとがスライドしてスライド係止状態になると、封止筒部収容箱６６Ｂの内部に各角形突部８５の先端部が収容される。また、封止筒部収容箱６６Ｂの両端部に保護突片８４Ｈが収容されると共に、側方係止壁６６Ｋ，６６Ｋと封止壁６６Ｈとの間に保護壁８４の外側の端部が収容される。これにより、保護壁８４によってもカバー体８０とベース体６３とが係合される。尚、封止収容箱６６Ｂのカバー体８０側の部分及び側方係止壁６６Ｋは、本発明の「離間規制部」に相当する。また、ベース側封止部材６６のスライド係止方向側端部の壁部及び被スライド係止部６７Ｆはカバー体８０のスライド係止方向への移動を規制し、本発明の「スライド規制部」に相当する。さらに、図１４、図１５に示すように、スライド係止フック８２Ｆが被スライド係止部６７Ｆに係止されたときに保護壁８４がベース側封止部材６６のスライド係止方向側の壁部に当接するようにスライド量が設定されている。尚、ベース側封止部材６６のスライド係止方向側の壁部は「当接位置決壁」に相当する。そして、前記スライド量に合わせてスライド係止フック８２Ｆのスライド方向の長さが設定されている。さらに、係止補助突部８７の長さは前記当接時に係止補助壁６８Ｄよりも外側に突出するように設定されている。
【００６４】
また、封止壁６６Ｈは図示しない２枚の板材を重ね合わせて構成されており、その間に板金製の封止板（図示しない）が狭持されている。これら封止壁６６Ｈ及び封止板には複数（例えば、４つ）の封止ピン貫通孔６６Ａが横並びに貫通形成されている。各封止ピン貫通孔６６Ａは、角形筒部８５の封止ピン貫通孔８５Ａに対応して形成されており、スライド係止状態で角形筒部８５の封止ピン貫通孔８５Ａと封止壁６６Ｈの封止ピン貫通孔６６Ａとが導通するようになっている。封止ピン貫通孔６６Ａのうち封止板の部分は、封止板を構成する板金に略十字形状に貫通孔が形成され、その略十字形状の貫通孔の周りに４つの係止突片を設けた構造になっている。そして、それら４つの係止突片は、カバー体８０から離れた側に曲げられている。
【００６５】
ベース体６３とカバー体８０とは、この封止ピン貫通孔６６Ａ，８５Ａに封止ピン６４Ｐを挿通することによりスライド不能に固定される。封止ピン６４Ｐは、先端寄り位置に係止溝を有した構造になっている。封止ピン６４Ｐを先端側から封止ピン貫通孔８５Ａに挿入すると、封止ピン貫通孔８５Ａ内の封止板の係止突片に係止溝が係合されて抜け止めされる。また、封止栓６４は、封止ピン６４Ｐの封止ピン貫通孔８５Ａと略同一径の円板の中心から突起を突出した構造になっている。そして、封止栓６４は、封止ピン６４Ｐの代わりに封止ピン貫通孔８５Ａ内に装着されて封止ピン貫通孔８５Ａを塞ぐ。
【００６６】
なお、封止ピン６４Ｐを封止ピン貫通孔６６Ａ，８５Ａに挿入してベース体６３とカバー体８０とをスライド不能に固定すると、封止突部８３やベース側封止部材６６を破壊しない限り固定を解除することができない構造になっている。ベース体６３とカバー体８０との固定を解除する際には、封止ピン６４Ｐを挿入した角形筒部８５の切断部８５Ｔを切断し、角形筒部８５を封止ピン６４Ｐと共にカバー体８０から切り離すことにより、ベース体６３とカバー体８０との固定を解除する。これにより、固定を解除した痕跡が残るようになっている。
【００６７】
図８に示すように、ベース体６３の外側囲壁６８のうちカバー体８０の係止爪８２Ｔと対向する位置は、カバー体８０側の縁部が切り欠かれて係止爪スライド孔６８Ｋとなっている。係止爪８２Ｔは、係止爪スライド孔６８Ｋを介して内側から外側へ突出し、スライド時に内部を移動可能になっている。また、ベース体６３には、係止爪スライド孔６８Ｋの外側から対向させてスライド係止片６９が設けられている。スライド係止片６９のスライド係止方向の端部及び中間部の２箇所は外側囲壁６８と連絡し、他端がスライド係止方向と反対の方向に向けて外側囲壁６８に沿って片持ち梁状に延びている。そして、そのスライド係止片６９の先端には、先端側に傾斜面を有すると共に、スライド係止方向側に外側囲壁６８から垂直に起立した起立面を有した係止突部６９Ｋが外側囲壁６８側に突出している。
【００６８】
カバー体８０がベース体６３に対してスライド係止方向にスライドされると、係止爪８２Ｔの傾斜面と、スライド係止片６９の係止突部６９Ｋの傾斜面とが摺接し、スライド係止片６９が側方（外側囲壁６８から離れた側）へ押圧されて撓む。そして、さらにスライドさせて係止爪８２Ｔが係止突部６９Ｋを乗り越えると、係止爪８２Ｔの起立面と係止突部６９Ｋの起立面とが当接する。これにより、カバー体８０がベース体６３に対してスライド係止方向と反対方向への移動が規制されるようになっている。
【００６９】
外側囲壁６８のうち係止補助突部８７，８７が設けられた包囲壁８２にスライド方向で対向する部分は係止補助壁６８Ｄになっている。係止補助壁６８Ｄは、外側囲壁６８のうち端部側の係止補助突部８７が設けられた側の一端寄り（例えば、スライド係止片６９側）の部分で、外側囲壁６８よりもベース壁６７からの突出量が大きくなっている。そして、その係止補助壁６８Ｄにはベース体６３の短手方向に並べて突部挿入孔６５，６５が貫通形成されている。各突部挿入孔６５，６５は、係止補助突部８７，８７に対向する位置に形成され、対応する係止補助突部８７，８７が挿通可能になっている。各突部挿入孔６５は、ベース体６３の短手方向に長い矩形状となっており、その短手方向の辺の長さは挿通される係止補助突部８７の前記短手方向の長さよりも若干長くなっている。一方、各突部挿通孔６５における対応する係止補助突部８７の高さ方向の長さは、係止補助突部８７の高さよりも長くなっており、係止補助突部８７が突部挿入孔６５に挿通されると、突部挿入孔６５の内面と係止補助突部８７との間に隙間が形成される。そして、係止補助突部８７，８７は、対応する突部挿入孔６５，６５の内部に挿入されることにより、ベース体６３とカバー体８０のスライド係止方向と反対側の端部で、スライド係止方向と直交する方向への移動が規制されている。
【００７０】
ここで、係止補助壁６８Ｄのうち各係止補助突部８７，８７スライド係止方向と直交する方向への移動が規制する部分は、図１６に示すように、各係止補助突部８７，８７側の面がテーパー状に面取りされている（図１６では一方の係止補助突部８７しか示されていない）。これにより、例えば、不正者がドライバーの先端を、突部挿入孔６５と係止補助突部８７の基端部との間に挿入させ、係止補助突部８７の先端を支点にしてドライバーを回転させて、係止補助壁６８Ｄを破壊しようとした場合には、ドライバーの先端が面取り部分で滑るので、当該破壊を防ぐことができる。
【００７１】
また、係止補助壁６８Ｄからは、側方（スライド係止方向と反対側）に突出した保護突壁６５Ｈが設けられている。保護突壁６５Ｈは、２つの突部挿入孔６５，６５のうちカバー体８０側の辺を除いた辺の側方に隣接して囲むように形成されており、突部挿入孔６５が形成されて弱くなった係止補助壁６８Ｄを補強している。また、スライド方向の端部に位置した保護突壁６５Ｈの端面と係止補助突部８７，８７の先端面とは、図１５に示すように、スライド係止状態で面一となっている。これにより、係止補助突部８７，８７の先端が出荷時や輸送時に破損するのを防止することができる。
【００７２】
係止補助壁６８Ｄとなった外側囲壁６８の内側には、ベース壁６７からカバー体８０側に突出した侵入防止壁６７Ｂ（本発明の「内側対向壁」に相当する）が形成されている。侵入防止壁６７Ｂは、突部挿入孔６５，６５に係止補助突部８７，８７を挿通した状態では、係止補助突部８７，８７の設けられた包囲壁８２の内側に嵌合される。侵入防止壁６７Ｂと外側囲壁６８との間隔は、先端起立壁８７Ａを含まない係止補助突部８７の高さよりも大きく、先端起立壁８７Ａを含んだ係止補助突部８７，８７の先端の高さよりも小さくなっている。これにより、先端起立壁８７Ａの先端が突部挿入孔６５に挿入されたときには係止補助突部８７が侵入防止壁６７Ｂと外側囲壁６８との間に入ることが可能となるが、先端起立壁８７Ａの先端が突部挿入孔６５に挿入されないときには係止補助突部８７が侵入防止壁６７Ｂと外側囲壁６８との間に入り込まないようになっている。
【００７３】
なお、侵入防止壁６７Ｂと包囲壁８２とが重なる深さは、係止補助突部８７と突部挿入孔６５との間にできる隙間よりも大きくなっているので、係止補助突部８７を突部挿入孔６５内で移動させても装置収容ケース６２が露出しないようになっている。
【００７４】
以下、ベース体６３とカバー体８０との組み付けについて説明する。ベース体６３とカバー体８０とを組み付ける際には、図１２に示すように、内部に主制御基板６０を固定したカバー体８０をベース体６３に対して略垂直となるようにして、先端起立壁８７Ａを侵入防止壁６７Ｂの先端に当接させる。そして、図１３（Ａ）に示すように、先端起立壁８７Ａ，８７Ａの先端を突部挿入孔６５，６５内に挿入させる。
【００７５】
ここで、侵入防止壁６７Ｂのベース壁６７からの突出量（以下、単に「高さ」という）は、カバー体８０をベース体６３に対して斜めにしないと基端部まで挿入することができない高さとなるように設計されている。即ち、侵入防止壁６７Ｂの高さは、係止補助壁６８Ｄよりも低くすると共に、係止補助突部８７を突部挿入孔６５のカバー体８０側の辺に当接させたときにできる係止補助突部８７のベース壁６７側の端部と、突部挿入孔６５のうちベース壁６７側の端部との間にできる隙間の高さよりも高くなるように設計されている。これにより、カバー体８０をベース体６３に対して斜めにして係止補助突部８７を突部挿入孔６５内に突入させた場合にのみ、図１３（Ｂ）に示すように、係止補助突部８７の基端部側まで挿入でき、逆に、係止補助突部８７を突部挿入孔６５から抜く際も、カバー体８０をベース体６３に対して斜めにした場合のみ抜くことができるようになっている。
【００７６】
なお、係止補助突部８７の高さ方向の長さは、突部挿入孔６５の高さ方向の長さよりも短いため、スライド係止フック８２Ｆと被スライド係止部６７Ｆとの係止が外れると、係止補助突部８７の高さ方向の長さと突部挿入孔６５の高さ方向の長さの差の分突部挿入孔６５内を係止補助突部８７が移動可能となってしまう。このとき係止補助突部８７と突部挿入孔６５にできた隙間から異物の侵入を防止するために、侵入防止壁６７Ｂと突部挿入孔６５にできた隙間からの異物の侵入を防止するために、侵入防止壁６７Ｂの長さは係止補助突部８７の高さ方向の長さと突部挿入孔６５の高さ方向の長さの差の分よりも高く設定され、隙間が生じている場合でも包囲壁８２と侵入防止壁６７Ｂがスライド方向で重なり合うようになっている。さらにこのとき包囲壁８２と外側囲壁６８も同様にスライド方向で重なり合うため、前記隙間から装置収容ケース６２に異物が侵入するのを防ぐことができるようになっている。
【００７７】
また、先端起立壁８７Ａの先端が突部挿入孔６５に挿入されないと、係止補助突部８７が侵入防止壁６７Ｂと外側囲壁６８との間に入らない構造になっているので、容易に先端起立壁８７Ａの先端から係止補助突部８７を突部挿入孔６５に挿入させられる。
【００７８】
係止補助突部８７を基端部側まで突部挿入孔６５に挿入すると、係止補助突部８７を突部挿入孔６５に挿入した状態でベース体６３に対してカバー体８０を回動させてカバー体８０をベース体６３に重ね合わせる。外側囲壁６８と侵入防止壁６７Ｂとの間に係止補助突部８７が入った状態で回動するので、回動時にベース体６３とカバー体８０との位置がずれることがなく重ね合わせ作業が容易に行える。
【００７９】
図１４に示すように、ベース体６３とカバー体８０とが重ね合わせられると、各スライド係止フック８２Ｆが対応する被スライド係止部６７Ｆに挿入される。そして、カバー体８０をベース体６３に対してスライド係止方向にスライドさせると、封止突部８３が封止筒部収容箱６６Ｂに挿入される（図１５の状態）。また、スライド係止片６９によって係止爪８２Ｔが係止され、スライド係止方向と反対側への移動が規制される。
【００８０】
封止突部８３が封止筒部収容箱６６Ｂに挿入されたら、封止ピン６４Ｐの先端を１本封止突部８３の封止ピン貫通孔８５Ａに挿入する。このようにしてベース体６３とカバー体８０との組み付け作業は完了する。
【００８１】
本実施形態のパチンコ遊技機１０に係る構成に関する説明は以上である。次に、本実施形態のパチンコ遊技機１０の作用効果について説明する。本実施形態のパチンコ遊技機１０では、遊技の当否判定を主制御基板６０に備えたワンチップマイコン６１Ａが行っている。万一、このワンチップマイコン６１Ａが不正なものに変更されると、大当たりを頻発する等の事態が生じ得る。そのため、主制御基板６０を装置収容ケース６２に収納して、不正に開放されないようにしいる。
【００８２】
基板収容ケース６２では、少なくとも前記スライド方向及び前記スライド方向と直交する方向（主制御基板６０を囲む４方向）で、ベース体６３とカバー体８０とが離間するのを規制されている。スライド係止フック８２Ｆ及び被スライド係止部６７Ｆにより主制御基板６０を両側から挟む位置で係止され、そのスライド方向の一端は、封止突部８３とベース側封止部材６６とでスライド不能に固定される。さらに、スライド方向の他端は、係止補助突部８７，８７を突部挿入孔６５，６５内に挿通することによりスライド方向と直交する方向への移動が規制されている。これにより、装置収容ケース６２は開放されないようになっている。
【００８３】
仮に、不正者が封止突部８３とベース側封止部材６６とによりスライド不能に固定されたままの状態で、ベース体６３又はカバー体８０に大きな力を加え、スライド係止フック８２Ｆと被スライド係止部６７Ｆとの間の係止が解除できたとしても、装置収容ケース６２の一端は封止突部８３とベース側封止部材６６とで固定され、他端は係止補助突部８７，８７が突部挿入孔６５，６５内に挿通しているので、装置収容ケース６２が開放することがない。
【００８４】
つまり、封止突部８３とベース側封止部材６６とで固定された端部の他端側が、係止補助突部８７，８７と突部挿入孔６５，６５とにより係合されているので、従来のように、封止突部８３とベース側封止部材６６との固定部分を支点にして、ベース体６３に対してカバー体８０を回動させて装置収容ケース６２を開くことができなくなっている。
【００８５】
しかも、スライド係止フック８２Ｆと被スライド係止部６７Ｆとの係止が解除される方向へスライドさせると、係止補助突部８７，８７は、より基端まで突部挿入孔６５，６５に挿入されるので、係止補助突部８７，８７と突部挿入孔６５，６５との係合が外れることがない。
【００８６】
さらに、係止補助突部８７，８７を突部挿入孔６５，６５から抜くときには、係止補助突部８７，８７の先端部の先端起立壁８７Ａ，８７Ａと侵入防止壁６７Ｂとを設けたことにより、カバー体８０をベース体６３に対して斜めにしてからでないと抜けない構造になっているので、封止突部８３とベース側封止部材６６との固定を解除した場合でないと装置収容ケース６２を開放することができない。また、仮に切断部８５Ｔを切断する等して封止部材８３とベース側封止部６６との固定が解除されてしまった場合でも、装置収容ケース６２を完全に開放するためにはカバー体８０をスライドさせてから斜めにするという作業が必要となるため、装置収容ケース６２が容易に開放され難くなっており、ワンチップマイコン６１Ａ等の重要な遊技装置を装置収容ケース６２内の係止補助突部８７寄りの位置に収容すれば遊技装置（主制御基板６０）の不正な操作をより効率的に防ぐことができる。
【００８７】
そして、装置収容ケース６２は、外側囲壁６８、包囲壁８２、基板支持壁６７Ｓ及び侵入防止壁６７Ｂによって主制御基板６０の四方を囲んでいるので、ベース体６３とカバー体８０との間の隙間からピアノ線等の異物を混入して不正な行為を行うことを防止することができる。
【００８８】
また、カバー体８０を、カバー壁８１とベース壁６７との対向方向のうちベース体６３から離間する方向へ移動したときに、係止補助突部８７，８７のベース壁６７側の端部と突部挿入孔６５，６５の内面との間にできる隙間が、包囲壁８２と侵入防止壁６７Ｂとの嵌合深さより小さいので、この隙間から装置収容ケースの内部に異物を挿入する等の不正を防止することもできる。
【００８９】
さらに、装置収容ケース６２のスライド方向の両端に封止突部８３及びベース側封止部材６６を設けて装置収容ケース６２が開放するのを防ぐようにした場合に比べて、封止突部８３及びベース側封止部材６６による封止箇所が増えないので、装置収容ケース６２の組み付け時及び不正でない解体時における作業の手間の増加を抑えることができる。
【００９０】
また、スライド係止フック８２Ｆの先端の屈曲部分の長さを伸ばすことにより、ベース体６３又はカバー体８０に大きな力を加えてもスライド係止フック８２Ｆと被スライド係止部６２Ｆとの係止が解除されないようにすることも考えられる。しかし、そうするとカバー体８０をベース体６３に対してスライドさせる距離が増えるので、ケース全体を大きくしなければならなくなる。これに対し、本実施形態の装置収容ケース６２を利用すればケース全体を大きくしなくてもよい。
【００９１】
なお、カバー体８０及びベース体６３は透明部材で構成され、装置収容ケース６２の外部から内部の主制御基板６０が視認可能となっているので、万一、主制御基板６０に異常が発生した場合や、不正な行為がなされた場合等であっても容易に知ることができる。
【００９２】
このように、本実施形態のパチンコ遊技機１０によれば、装置収容ケース６２を構成するベース体６３及びカバー体８０は、スライド係止フック８２Ｆと被スライド係止部６７Ｆとを係止させるスライド方向の一端部において、封止突部８３とベース側封止部材６６とによって固定される一方、スライド方向の他端において係止補助突部８７，８７が突部挿入孔６５，６５にスライド方向に挿入することによってスライド方向と直交する方向への移動が規制されている。このため、不正に装置収容ケースに大きな力を加えてスライド係止フック８２Ｆと被スライド係止部６７Ｆとの係止を解除できたとしても、従来のように封止突部８３とベース側封止部材６６とによる固定部分を支点としてベース体６３に対してカバー体８０を回動させて装置収容ケース６２を開くことができなくなる。これにより、不正により装置収容ケース６２が開封されることを確実に防止することが可能となる。
【００９３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記実施形態では、パチンコ遊技機に本発明を適用していたが、遊技機であれば、コイン遊技機やスロットマシン、アレンジボール等に備えてもよい。
【００９４】
（２）前記実施形態では、スライド方向のうちスライド係止方向に封止突部８３及びベース側封止部材６６とを設け、その対向面に係止補助突部８７，８７及び突部挿入孔６５，６５を設けたが、スライド係止方向に係止補助突部８７，８７及び突部挿入孔６５，６５を設け、その対向面に封止突部８３及びベース側封止部材６６封止突部８３及びベース側封止部材６６を設けてもよい。
【００９５】
（３）ベース体６３は、ベース壁６７からカバー体８０側へ突出する壁部として係止補助壁６８Ｄを備えられていれば、外側囲壁６８、基板支持壁６７Ｓ及び侵入防止壁６７Ｂが備えられていないものであってもよい。
【００９６】
（４）封止ピン６４Ｐ、封止突部８３、ベース側封止部材６６などの封止部材は、本実施例に限るものではなく、本願発明を満たすものであればどのような構成でもよく、例えば、ワンウェイネジの使用などでもよい。
【００９７】
（５）係止補助突部８７は、カバー体８０とベース体６３が係止状態のときに係止補助突部８７が突部挿入孔６５よりも外側に突出する形状であれば、前記実施形態において示した角筒形状に限られず、例えば、円筒形状であってもよい。
【００９８】
（６）本発明に係る装置収容ケースの構造が適用される遊技装置として前記実施形態では主制御基板６０を示したが、サブ制御装置４１や払出制御装置４７等のその他の制御装置に適用してもよく、また、遊技機に搭載されるものであればソレノイドや外部端子板等の他の遊技装置に適用してもよい。
【図面の簡単な説明】
【００９９】
【図１】本発明の一実施形態に係るパチンコ遊技機の正面図
【図２】パチンコ遊技機の分解斜視図
【図３】パチンコ遊技機の後面図
【図４】遊技盤と各種制御装置の斜視図
【図５】主制御装置の回動時の斜視図
【図６】主制御装置の斜視図
【図７】主制御装置の分解斜視図
【図８】ベース体の斜視図
【図９】ベース体の平面図
【図１０】カバー体の斜視図
【図１１】カバー体の平面図
【図１２】カバー体とベース体の組付作業時の斜視図
【図１３】カバー体とベース体の組付作業時の斜視図
【図１４】カバー体とベース体の組付作業時の平面図
【図１５】カバー体とベース体の組付作業時の平面図
【図１６】ベース体の一部拡大斜視図
【図１７】従来の装置収容ケースの斜視図
【符号の説明】
【０１００】
６０    主制御基板（遊技装置）
６２    装置収容ケース
６３    ベース体（第２ケース構成体）
６２Ｆ    被スライド係止部
６４Ｐ    封止ピン（封止部材）
６５    突部挿入孔
６５Ｈ    保護突壁
６６    ベース側封止部材（封止部材）
６７    ベース壁
６７Ｂ    侵入防止壁（内側対向壁、嵌合囲壁）
６７Ｆ    被スライド係止部
６７Ｓ    基板支持壁（内側対向壁、嵌合囲壁）
６８    外側囲壁（嵌合囲壁）
６８Ｄ    係止補助壁
８０    カバー体（第１ケース構成体）
８０Ａ    装置受容口
８１    カバー壁
８２    包囲壁
８２Ｆ    スライド係止フック（スライド係止部）
８７    係止補助突部
８７Ａ    先端起立壁
【図１】
0004681593.tif 000002
【図２】
0004681593.tif 000003
【図３】
0004681593.tif 000004
【図４】
0004681593.tif 000005
【図５】
0004681593.tif 000006
【図６】
0004681593.tif 000007
【図７】
0004681593.tif 000008
【図８】
0004681593.tif 000009
【図９】
0004681593.tif 000010
【図１０】
0004681593.tif 000011
【図１１】
0004681593.tif 000012
【図１２】
0004681593.tif 000013
【図１３】
0004681593.tif 000014
【図１４】
0004681593.tif 000015
【図１５】
0004681593.tif 000016
【図１６】
0004681593.tif 000017
【図１７】
0004681593.tif 000018